(57)【特許請求の範囲】
【請求項１】
容器口部の外周に形成された雄ねじに螺合する雌ねじが設けられたスカート壁と、該スカート壁の下部に環状弱化部を介して連結されたタンパーエビデンスバンドとを具備したキャップであって、
前記タンパーエビデンスバンドの内周側に、前記容器口部の外周に設けられた環状突起に下方から係止可能なフックが周方向に間隔をおいて複数設けられ、
また、前記タンパーエビデンスバンドの内周側において、前記フックの上方には該タンパーエビデンスバンドの内側に突出する突出部が連なり、該突出部の下部には前記環状突起の外周面に当接する当接部が設けられ、該当接部は、その上下幅が該当接部を含む前記突出部全体の上下幅の３分の１〜３分の２を占め、前記突出部の内周面から前記フックの上面に向かって、２０度以上の勾配で内径が小さくなるように延び、
さらに、前記突出部の内周面における前記当接部の上方には、前記環状突起の外径より大である一定の内径を保ちつつ上側に向かって延びる部位が連なっていることを特徴とする合成樹脂製キャップ。
【請求項２】
前記タンパーエビデンスバンドの内周側において、前記突出部の上方に、該突出部よりも該タンパーエビデンスバンドの内側に突出し、前記容器口部の外周面に接触する突起が設けられている請求項１に記載の合成樹脂製キャップ。
【発明の詳細な説明】
【技術分野】
【０００１】
本発明は、例えば、飲料物等の内容物を収容する容器の口部に装着される合成樹脂製キャップに関する。
【背景技術】
【０００２】
飲料物等の内容物を収容する容器の口部に装着されるキャップとして、一目で開封の有無を確認可能に構成されたものが広く用いられている。このようなキャップとして、容器口部の雄ねじに螺合する雌ねじが設けられたスカート壁を有するキャップ本体と、スカート壁の下部に環状弱化部を介して連結されたタンパーエビデンスバンドとを具備するものが知られている。
【０００３】
上記従来のキャップでは、容器口部に装着された状態からの開封操作（最初の開栓操作）に伴い、タンパーエビデンスバンドの内周に設けられたフック（係止手段）が容器口部の外周に設けられた環状突起（係止あご部）に係止した後、タンパーエビデンスバンドとスカート壁とを画するミシン目状のスリット間に形成されたブリッジ（橋絡部）が破断され、キャップ本体とタンパーエビデンスバンドとが互いに分離される（特許文献１参照）。従って、環状弱化部を構成するブリッジの破断の有無を視認することにより、開封操作が行われたか否かを容易に確認することができる。
【先行技術文献】
【特許文献】
【０００４】
【特許文献１】特許第５５５４５７４号公報
【発明の概要】
【発明が解決しようとする課題】
【０００５】
しかし、特許文献１に記載されたキャップでは、タンパーエビデンスバンドの内周面におけるフックの上方に、環状突起の外径より小さい内径を有し、上下方向に０．３〜０．７ｍｍ延びる嵌合下部を設けてあるため、容器口部に装着された状態のキャップを開封する際に、キャップ本体のがたつきを防止し、ひいてはブリッジが破断せずにキャップ本体が容器口部から外れる所謂すっぽ抜けをも防ぐことができ、タンパーエビデンス性が良好となる反面、開封に必要なトルクが増大し、開封が困難化する恐れがある。
【０００６】
本発明は上述の事柄に留意してなされたもので、その目的は、タンパーエビデンス性を良好としつつ、開栓トルクの増大をも抑えることのできる合成樹脂製キャップを提供することにある。
【課題を解決するための手段】
【０００７】
上記目的を達成するために、本発明に係る合成樹脂製キャップは、容器口部の外周に形成された雄ねじに螺合する雌ねじが設けられたスカート壁と、該スカート壁の下部に環状弱化部を介して連結されたタンパーエビデンスバンドとを具備したキャップであって、前記タンパーエビデンスバンドの内周側に、前記容器口部の外周に設けられた環状突起に下方から係止可能なフックが周方向に間隔をおいて複数設けられ、また、前記タンパーエビデンスバンドの内周側において、前記フックの上方には該タンパーエビデンスバンドの内側に突出する突出部が連なり、該突出部の下部には前記環状突起の外周面に当接する当接部が設けられ、該当接部は、その上下幅が該当接部を含む前記突出部全体の上下幅の３分の１〜３分の２を占め、前記突出部の内周面から前記フックの上面に向かって、２０度以上の勾配で内径が小さくなるように延び、さらに、前記突出部の内周面における前記当接部の上方には、前記環状突起の外径より大である一定の内径を保ちつつ上側に向かって延びる部位が連なっている（請求項１）。
【０００８】
上記合成樹脂製キャップが、前記タンパーエビデンスバンドの内周側において、前記突出部の上方に、該突出部よりも該タンパーエビデンスバンドの内側に突出し、前記容器口部の外周面に接触する突起を有していてもよい（請求項２）。
【発明の効果】
【０００９】
本願発明では、タンパーエビデンス性を良好としつつ、開栓トルクの増大をも抑えることのできる合成樹脂製キャップが得られる。
【００１０】
すなわち、本願の各請求項に係る発明の合成樹脂製キャップでは、容器口部に装着されたキャップを開封する際、容器口部の環状突起の外周面に対して当接部が当接するようにしておくことにより、キャップが斜めに持ち上がることが防止され、環状弱化部が偏らずに略均一に破断するので、タンパーエビデンス性は良好となる。
【００１１】
また、当接部の内周面には２０度以上の勾配を設けてあり、この勾配が環状突起に対する当接部の当接度合いの調整機能を発揮し、閉栓状態における突出部と環状突起との隙間が比較的大きかったり小さかったりしても、開封時に当接部が環状突起に良好に当接するように構成するのが容易となり、すっぽ抜けや開栓トルクの増大を防止することができる。
【００１２】
請求項２に係る発明の合成樹脂製キャップでは、開封の際に突起が環状突起に当接してキャップのがたつきや傾きが防止され、キャップのすっぽ抜けが防止されるという効果がより高まることになる。
【図面の簡単な説明】
【００１３】
【図１】本発明の一実施の形態に係る合成樹脂製キャップの構成を概略的に示す縦断面図である。
【図２】（Ａ）及び（Ｂ）は、開封過程の前記合成樹脂製キャップの要部の構成を概略的に示す説明図である。
【図３】前記合成樹脂製キャップの変形例の要部の構成を概略的に示す説明図である。
【発明を実施するための形態】
【００１４】
本発明の実施の形態について図面を参照しながら以下に説明する。
【００１５】
図１に示す合成樹脂製キャップ（以下、キャップという）１は、例えばペットボトル等の図示しない容器の口部に装着されて使用されるものであり、コンプレッション成形又はインジェクション成形によって、ポリエチレンで一体的に成形されている。なお、キャップ１を形成する素材は、特に限定されるものではなく、本実施形態で用いたポリエチレンの他、ポリプロピレン等が好適に用いられる。
【００１６】
そして、キャップ１は、平面視において略円形状の天壁２と、この天壁２の外周部から下向きに延びる略円筒状のスカート壁３を有している。ここで、スカート壁３の外周面にはローレット溝４を、内周面には雌ねじ５を設けてあり、この雌ねじ５は容器口部の外周に形成された雄ねじ（図示していない）に結合可能である。
【００１７】
また、キャップ１は、未開封（開栓が一度もされていないこと）を証明する機能を有するピルファープルーフキャップであり、スカート壁３の下部には、スカート壁３の全周にわたって延びる環状弱化部６を介してタンパーエビデンスバンド（以下、単に「バンド」という）７を連結してある。
【００１８】
すなわち、環状弱化部６は、スカート壁３とバンド７とを上下に画するものであり、スカート壁３及びバンド７の周方向に断続して延びる（ミシン目状の）スリットと、隣り合うスリットの間に存在するブリッジとで構成され、ブリッジは所定の力で引っ張られると破断する。
【００１９】
そして、このバンド７の内周側には、内向きに突出し、内側への突出量が上側ほど増大するように構成されたフック８を、周方向に間隔をおいて複数（例えば５個）設けてある。各フック８は、キャップ１が容器口部に装着された状態で、容器口部の外周において雄ねじよりも下方に形成された環状突起（ビード部）９（図２（Ａ）及び（Ｂ）参照）の略下側へ位置し、開封操作によって当該環状突起９に係止する。すなわち、フック８は、環状突起９に下方から係止可能に構成されている。
【００２０】
図２（Ａ）に示すように、バンド７の内周側において、フック８の上方には、バンド７の内側に突出する突出部１０が連なり、突出部１０の下部には環状突起９の外周面に当接する当接部１１が設けられている。なお、当接部１１の上下幅Ｌ１１は、この当接部１１を含む突出部１０全体の上下幅Ｌ１０の３分の１〜３分の２とするのが好ましく、本例では約半分（Ｌ１０を１．１７ｍｍ、Ｌ１１を０．５８ｍｍ）としてある。
【００２１】
また、当接部１１は、突出部１０の内周面からフック８の上面に向かって、２０度以上（好ましくは２０度〜３０度）の勾配θで内径が小さくなるように延びている。勾配θを２０度未満とすると、当接部１１が持つ環状突起９に対する当接部１１の当接度合いの調整機能が低下し、閉栓状態における突出部１０と環状突起９との隙間が比較的大きい場合には、開封時に当接部１１が環状突起９に良好に当接せずにがたつき、キャップ１が傾いてすっぽ抜けが生じる恐れがあり、逆に閉栓状態における突出部１０と環状突起９との隙間が比較的小さい場合には、当接部１１が環状突起９に強く当接してキャップ１の開封に必要なトルクが過大となる恐れがある。
【００２２】
上記構成からなるキャップ１は、容器口部に装着され未開封の状態では、環状突起９が突出部１０の内側またはそれより上方に位置し（図２（Ａ）に示す位置かそれよりも上方の位置）、この状態からキャップ１を開封方向に回転させると、容器口部に対してキャップ１が相対的に上昇し、図２（Ｂ）に示すように、やがて当接部１１が環状突起９に当接し、フック８が環状突起９に下方から係止する状態となる。そして、さらにキャップ１を開封方向に回転させることにより容器口部に装着されたキャップ１を開封する際、容器口部の環状突起９の外周面に対して各フック８に設けられた当接部１０が当接し、これにより、キャップ１が斜めに持ち上がることが防止され、環状弱化部６が偏らずに略均一に破断するので、タンパーエビデンス性は良好となる。なお、図２（Ｂ）には、環状突起９に係止したフック８を環状突起９に重ねて描いてあるが、実際には実体を持つ両者がこのように重なることはなく、主としてキャップ１側が容器口部に付勢されて外側に弾性変形するが、その弾性変形後の図示は省略している。
【００２３】
また、上述したように、当接部１１の内周面には２０度以上の勾配θを設けてあり、この勾配が環状突起９に対する当接部１１の当接度合いの調整機能を発揮し、閉栓状態における突出部１０と環状突起９との隙間が比較的大きかったり小さかったりしても、開封時に当接部１１が環状突起９に良好に当接するように構成するのが容易となり、すっぽ抜けや開栓トルクの増大を防止することができる。
【００２４】
なお、本発明は、上記の実施の形態に何ら限定されず、本発明の要旨を逸脱しない範囲において種々に変形して実施し得ることは勿論である。例えば、以下のような変形例を挙げることができる。
【００２５】
上記実施の形態では、各フック８に対応させて突出部１０及び当接部１１を設けているが、これに限らず、例えば突出部１０、当接部１１の少なくとも一方を、バンド７の周方向に連続して一周設けるようにしてもよい。
【００２６】
各当接部１１の勾配θは、画一化されていてもよいし、ばらつきをもたせてあってもよく、例えば勾配θが２０度の当接部１１を三つ、勾配θが３０度の当接部１１を二つ設ける、といったようなことも可能である。
【００２７】
図３に示すように、バンド７の内周側において、突出部１０の上方で環状弱化部６よりも下方に、突出部１０よりもバンド７の内側に突出し、キャップ１を容器口部に装着した状態で容器口部（環状突起９）の外周面に接触する突起１２を設けてあってもよい。この突起１２は、バンド７の周方向に全周にわたって設けてもよいし、バンド７の周方向に間隔をあけて複数設けてもよく、後者の場合、例えばフック８に対応させて各フック８の真上に一つ又は複数ずつ設けることが考えられる。そして、このような突起１２を設けておくことにより、開封の際に突起１２が環状突起９に当接してキャップ１のがたつきや傾きが防止され、キャップ１のすっぽ抜けが防止されるという効果がより高まることになる。
【００２８】
なお、上記変形例どうしを適宜組み合わせてもよいことはいうまでもない。
【符号の説明】
【００２９】
１    キャップ
２    天壁
３    スカート壁
４    ローレット溝
５    雌ねじ
６    環状弱化部
７    バンド
８    フック
９    環状突起
１０    突出部
１１    当接部
１２    突起
θ    勾配
【図１】
0006564141.tif 000002
【図２】
0006564141.tif 000003
【図３】
0006564141.tif 000004